(57)【要約】【課題】タッチスクリーン上に表示された項目を選択するための端末機及び方法を提供する。【解決手段】画面上に表示された項目を選択するための方法は、選択領域を限定するために２個またはそれ以上の地点を同時に接触する段階と、選択領域内の項目を識別する段階と、を含む。選択領域は、矩形、表示装置の水平または垂直帯域、円またはリストの連続的に配置された項目であることができる。あるいは、一つの接触が表示領域の地点を画定し、表示領域の境界は接触が維持される時間によって画定されることができる。最近、一つの端末機上に多数の機能がますます融合されることによって、当該方法は関連項目が端末機の一つの表示装置画面上に同時に表示される最新端末機に便利に適用されることができる。【選択図】  図１
2007272904.tif 000002
【特許請求の範囲】
【請求項１】
垂直軸及び水平軸を具備した画面上でアイコンを選択する方法であって、
入力装置への接触により前記画面上の選択領域を画定する段階と、
少なくとも部分的に前記選択領域内に位置するアイコンを選択する段階と、
を含み、
前記入力装置はタッチスクリーン及びタッチパッドのうちいずれか一つであることを特徴とするアイコン選択方法。
【請求項２】
前記選択領域を画定する段階は、
円の中心を指定するために入力装置を接触する段階と、
前記接触を一定時間維持する段階と、
前記接触を解除する段階と、
を含み、
前記円は接触が維持された時間に応じた半径を有し、前記選択領域は前記円によって画定されることを特徴とする請求項１に記載のアイコン選択方法。
【請求項３】
前記選択領域を画定する段階は、
第１地点を指定するために入力装置を接触する段階と、
第１地点を指定する接触を維持する間に、第２地点を指定するために入力装置を接触する段階と、
第１地点及び第２地点を指定する接触を解除する段階と、
を含むことを特徴とする請求項１に記載のアイコン選択方法。
【請求項４】
第１地点及び第２地点が水平軸に平行な線上に位置するとき、前記選択領域は第１境界と第２境界との間の画面の部分であり、第１境界は第１地点を通過する垂直軸に平行な線である一方、第２境界は第２地点を通過する垂直軸に平行な線であることを特徴とする請求項３に記載のアイコン選択方法。
【請求項５】
第１地点及び第２地点が垂直軸に平行な線上に位置するとき、前記選択領域は第３境界と第４境界との間の画面の部分であり、第３境界は第１地点を通過する水平軸に平行な線である一方、第４境界は第２地点を通過する水平軸に平行な線であることを特徴とする請求項３に記載のアイコン選択方法。
【請求項６】
第１地点及び第２地点が、垂直軸及び水平軸のいずれにも平行でない線上に位置するとき、第１地点及び第２地点は垂直軸及び水平軸に平行な辺を有する矩形の対角を画定し、前記選択領域は、前記矩形によって画定されることを特徴とする請求項３に記載のアイコン選択方法。
【請求項７】
前記選択領域を画定する段階は、
第１地点を指定するために入力装置を接触する段階と、
第１地点を指定する接触を維持する間に、複数の追加地点を指定するために入力装置に接触する段階と、
第１地点及び複数の追加地点を指定する接触を解除する段階と、を含み、
第１地点及び複数の追加地点は閉多角形の頂点を画定し、該閉多角形は前記選択領域を画定することを特徴とする請求項１に記載のアイコン選択方法。
【請求項８】
前記アイコンを選択する段階は、
全体が選択領域内に位置するアイコンを識別して選択する段階を含むことを特徴とする請求項１に記載のアイコン選択方法。
【請求項９】
画面上で複数のアイコンを選択する方法であって、
第１アイコンを選択するために入力装置を接触する段階と、
第１アイコンを選択する接触を維持する間に、追加アイコンを選択するために入力装置を接触する段階と、
第１アイコン及び追加アイコンを選択する接触を解除することで複数のアイコンを選択する段階と、
を含み、
前記入力装置はタッチスクリーン及びタッチパッドのうちいずれか一つであることを特徴とするアイコン選択方法。
【請求項１０】
スクリーン上に表示されたリストの項目を選択する方法であって、
リストの第１項目を選択するために入力装置を接触する段階と、
該接触を一定時間維持する段階と、
該一定時間後に、第１項目を選択する接触を解除する段階と、
該一定時間に応じて連続項目を選択する段階と、
を含み、
前記入力装置はタッチスクリーン及びタッチパッドのうちいずれか一つであることを特徴とする項目選択方法。
【請求項１１】
画面上に表示されたリストの項目を選択する方法であって、
リストの第１項目を識別するために入力装置を接触する段階と、
第１項目を識別する接触を維持する間に、第２項目を識別するために入力装置を接触する段階と、
第１項目及び第２項目を識別する接触を解除する段階と、
第１項目及び第２項目並びにこれらの間のすべての項目を選択する段階と、
を含み、
前記入力装置はタッチスクリーン及びタッチパッドのうちいずれか一つであることを特徴とするリストの項目選択方法。
【請求項１２】
入力装置と、
アイコンを表示するための、垂直軸及び水平軸を有する画面と、
画面の選択領域を画定し、少なくとも部分的に該選択領域内に位置するアイコンを選択するための制御装置と、
を含み、
前記入力装置は、タッチスクリーン及びタッチパッドのうちいずれか一つであることを特徴とする端末機。
【請求項１３】
前記選択領域は、入力装置上の接触によって指定される中心と、接触が維持される時間に応じた半径を有する円であることを特徴とする請求項１２に記載の端末機。
【請求項１４】
前記選択領域は第１地点及び第２地点によって画定され、第１地点は入力装置の第１接触によって指定される一方、第２地点は第１接触が維持される間に入力装置の第２接触によって指定されることを特徴とする請求項１２に記載の端末機。
【請求項１５】
第１地点及び第２地点が水平軸に平行な線上に位置するとき、前記選択領域は第１境界と第２境界との間の画面の部分であり、第１境界は第１地点を通過する垂直軸に平行な線である一方、第２境界は第２地点を通過する垂直軸に平行な線であることを特徴とする請求項１４に記載の端末機。
【請求項１６】
第１地点及び第２地点が垂直軸に平行な線上に位置するとき、前記選択領域は第３境界と第４境界との間の画面の部分であり、第３境界は第１地点を通過する水平軸に平行な線である一方、第４境界は第２地点を通過する水平軸に平行な線であることを特徴とする請求項１４に記載の端末機。
【請求項１７】
第１地点及び第２地点が、垂直軸及び水平軸のいずれにも平行ではない線上に位置するとき、第１地点及び第２地点は垂直軸及び水平軸に平行な辺を有する矩形の対向角を画定し、前記選択領域は、前記矩形によって画定されることを特徴とする請求項１４に記載の端末機。
【請求項１８】
前記選択領域は複数の頂点によって画定される閉多角形であり、該複数の頂点は、入力装置の第１接触と、該第１接触が維持される間における入力装置の複数の追加接触によって指定されることを特徴とする請求項１２に記載の端末機。
【請求項１９】
アイコンは、該アイコン全体が選択領域内に位置する時に選択されることを特徴とする請求項１２に記載の端末機。
【請求項２０】
入力装置と、
アイコンを表示するための画面と、
複数のアイコンを選択するための制御装置と、
を含み、
入力装置の第１接触は第１アイコンを指定し、前記第１接触を維持する間における入力装置の追加接触は追加アイコンを指定し、
第１アイコン及び追加アイコンを含む複数のアイコンが、第１接触が解除される時に選択され、
入力装置はタッチスクリーン及びタッチパッドのうちいずれか一つであることを特徴とする端末機。
【請求項２１】
入力装置と、
項目のリストを表示するための画面と、
項目を選択するための制御装置と、
を含み、
入力装置の第１接触が第１項目を選択し、後続の項目が、第１接触が維持される間に選択され、
前記入力装置はタッチスクリーン及びタッチパッドのうちいずれか一つであることを特徴とする端末機。
【請求項２２】
入力装置と、
項目のリストを表示する画面と、
項目を選択するための制御装置と、
を含み、
前記入力装置の第１接触は前記リストの第１項目を識別し、第１接触を維持する間における前記入力装置の第２接触は前記リストの第２項目を識別し、
第１接触及び第２接触が解除される時に、第１項目及び第２項目並びにこれらの間のすべての項目が選択され、
前記入力装置はタッチスクリーン及びタッチパッドのうちいずれか一つであることを特徴とする端末機。
【発明の詳細な説明】
【技術分野】
【０００１】
本明細書は２００６年３月３０日に出願した大韓民国特許出願第１０-２００６-００２８９７７号の優先権の利益を主張し、本明細書の参考文献として全部引用される。
【０００２】
本発明は画面上に表示された項目を選択するための端末機及び方法に関する。
【背景技術】
【０００３】
最近、情報通信技術の驚くべき発展によって、情報及び通信環境が変化している。特に、官庁、銀行、デパート及び展示場のような公共場所に設置されたキオスク(自動情報案内ターミナル)(kiosk)は現代社会の必需品として思われて全世界に亘って広く使われる。
【０００４】
また、移動通信端末機も現代社会の必需品として思われて全世界に亘って広く使われる。
【０００５】
最近、単一の端末機の多様な機能の使用が徐々に増加していることによって、多様な機能を遂行することができる要素が単一端末機に付加されている。よって、前述した機能と関連される多様な項目(すなわち、アイコン(icon))が、一つの画面上に同時に表示される場合が多い。
【発明の開示】
【発明が解決しようとする課題】
【０００６】
よって、本発明は従来技術の制限及び短所による一つまたはそれ以上の問題点を実質的に防止する、画面上に表示された項目を選択するための端末機及び方法に関するものである。
【０００７】
本発明の目的は、いくつかの項目が端末機画面上に同時に表示される場合に、使用者が迅速且つ簡便に、一つ、またはそれ以上の項目を選択できるようにする、項目を選択するための端末及び方法を提供するものである。
【０００８】
本発明の他の長所、目的及び特徴は下に記述されるはずであり、当技術分野の当業者は本発明の思想を脱しないまま、多くの変形実施例を提示することができることは当然である。本発明の目的及び他の長所は発明の詳細な説明と特許請求範囲だけではなく、添付された図面に示す構成によって実現して獲得されることができる。
【課題を解決するための手段】
【０００９】
本明細書に具体化されて広く記述されたところのように本発明の目標によるこれらの目的及び他の長所を達成するため、垂直軸と水平軸を具備した画面上のアイコンを選択する方法は、入力装置を接触することで選択領域を画定する段階と、少なくとも部分的に選択領域内に位置するアイコンを選択する段階と、を含み、前記入力装置はタッチスクリーン(touch screen)とタッチパッド(touch pad)のうちいずれか一つであることを特徴とする。
【００１０】
選択領域を画定する段階はいくつかの方法で達成されることができる。第１方法は、円の中心を指定するために入力装置を接触する段階と、一定時間接触を維持する段階と、接触を解除する段階と、を含み、選択領域は円によって画定されることを特徴とする。
【００１１】
選択領域を画定するための他の方法は、第１地点を指定するために入力装置を接触する段階と、前記第１地点が指定する接触を維持する間に第２地点を指定するために入力装置を接触する段階と、第１地点と第２地点を指定する接触を解除する段階と、を含む。仮に、第１地点及び第２地点が水平軸に平行な線上に位置すると、選択領域は第１地点と第２地点との間に位置した垂直帯域である。仮に、第１地点と第２地点が垂直軸に平行な線上に位置すると、選択領域は第１地点と第２地点との間に位置した水平帯域である。仮に、第１地点と第２地点が垂直軸及び水平軸のいずれとも平行ではない線上に位置すると、第１地点と第２地点は垂直軸及び水平軸に平行な辺を有した矩形の対向角(opposing corner)を画定して、選択領域は前記矩形によって画定されることを特徴とする。
【００１２】
選択領域を画定するための他の方法は、第１地点を指定するために入力装置を接触する段階と、第１地点を指定する接触を維持する中に複数の追加地点を指定するために入力装置を接触する段階と、第１地点及び複数の追加地点を指定する接触を解除する段階と、を含む。第１地点と複数の追加地点とは、閉多角形(closed polygon)を画定して、前記閉多角形は選択領域を画定する。
【００１３】
本発明の他の態様において、端末機は、入力装置と、アイコンを表示するための垂直軸及び水平軸を具備した画面と、画面の選択領域を画定して、少なくとも部分的に選択領域内に位置するアイコンを選択するための制御装置を含んで、前記入力装置はタッチスクリーン及びタッチパッドのうちいずれか一つであることを特徴とする。選択領域は、入力装置上で接触によって指定された中心及び接触が維持された時間に応じた半径を具備した円である。
【００１４】
あるいは、選択領域は第１地点及び第２地点によって画定されて、第１地点は入力装置の第１接触によって指定されて、第２地点は第１接触を維持する中に第２接触によって指定される。第１地点と第２地点が水平軸に平行な線上に位置するとき、選択領域は第１地点と第２地点との間に位置した垂直帯域である。また、第１地点と第２地点とが垂直軸に平行な線上に位置するとき、選択領域は第１地点と第２地点との間に位置した水平帯域である。さらに、第１地点と第２地点が垂直軸及び水平軸のいずれとも平行ではない線上に位置すると、第１地点と第２地点とは垂直軸と水平軸とに平行な辺を有した矩形の対向角を画定して、選択領域は前記矩形によって画定されることを特徴とする。
【００１５】
本発明のまた他の態様は、入力装置と、項目のリストを表示する画面と、項目を選択するための制御装置と、を含む端末機であり、入力装置の第１接触はリストの第１項目を識別して、入力装置の第２接触は第１接触を維持する間にリストの第２項目を識別して、第１接触と第２接触とが解除される時に第１項目及び第２項目並びにこれらの間のすべての項目が選択されることを特徴とする。
【００１６】
本発明のまた他の態様は入力装置と、項目のリストを表示する画面と、項目を選択するための制御装置と、を含む端末機であり、入力装置の第１接触が第１項目を選択し、連続する項目(sequential item)が、第１接触が維持される間に選択されることを特徴とする。
【００１７】
本発明の前述した内容及び後述する詳細な説明は例示的なものであり、本発明で主張する追加的な説明を提供するためである。
【発明の効果】
【００１８】
本発明による項目選択方法とこれを実施する端末機は次の効果を有する。
【００１９】
本発明による項目選択方法とこれを実施する端末機は、使用者が画面上に表示される多数の項目のうちで複数の所望の項目を簡便に同時に選択するようにする。
【００２０】
最近では、一つの端末機を通じて使用者に多くの機能を提供することができる融複合(convergence)がますます開発されることによって、本発明は、多数の関連項目らが端末機の単一表示画面上に同時に表示される最新端末機に便利に適用されることができる。
【００２１】
本発明はタッチスクリーンの形態で構成された表示装置を記載しているが、本発明の範囲はこのような例のみに制限されるのではなくて、必要に応じて他の例にも適用されることができることを留意しなければならない。例えば、本発明がタッチスクリーンの代りにタッチパッドを具備したタッチスクリーンではない形態の端末機にも適用されることができることは当技術分野の当業者に明確である。
【発明を実施するための最良の形態】
【００２２】
本発明の実施例において詳細な説明をし、これらの実施例は添付された図面に示す。同一な図面符号は全体図面に亘って同一であるか、または類似の部品を示す。
【００２３】
本発明は移動端末機(例えば、携帯電話、個人ポータブル情報端末機（ＰＤＡ）及びゲーム機)とキオスク端末機(例えば、現金自動預け払い機（ＡＴＭ）)に適用されることができることに留意する必要がある。
【００２４】
しかし、本発明のより良い理解と技術の便宜のために、本発明は携帯電話のような移動端末機に適用されるものとして仮定する。よって、本発明の範囲は以下の説明及び実施例に制限されるものではなくて、必要に応じて他の例にも適用されることができる。
【００２５】
図１は本発明による移動端末機を示すブロック図である。
【００２６】
図１を参照すると、本発明による移動端末機１００は、記憶装置１１０、表示装置１２０、入力装置１３０、無線周波数（ＲＦ）装置１４０及び制御装置１５０を含む。
【００２７】
移動端末機１００は前述した構成だけではなく、他の構成も含むことができる。しかし、他の部材は本発明と直接的な関連がないので、便宜のために詳しい説明が省略される。
【００２８】
記憶装置１１０は、移動端末機１００によって提供される複数の機能を遂行するためのソフトウェアプログラムと関連データ(例えば、ＭＰ３ファイル、映像ファイル、文書ファイル、電話番号リスト、通話リスト、ショートメッセージサービス(ＳＭＳ)メッセージリスト、電子メールリスト、及びマルチメディアメッセージサービス(ＭＭＳ)メッセージリスト)を含む。
【００２９】
表示装置１２０は複数の機能を遂行するための色々なアイコン(例えば、ＭＰ３ファイルアイコン、映像ファイルアイコン、文書ファイルアイコン及びプログラム実行アイコン)を表示することができる。また、表示装置１２０は電話番号リスト、通話リスト、及びショートメッセージサービス(ＳＭＳ)メッセージリストなどを表示することができる。
【００３０】
説明の便宜のために、それぞれのアイコンまたはそれぞれのリストは一般的に"項目"と称する。
【００３１】
望ましくは、タッチスクリーン上に表示された項目は、タッチスクリーンを接触する使用者によって直接選択されることができる。
【００３２】
望ましくは、表示装置１２０はタッチスクリーンの形態で構成されることができる。タッチスクリーンは、静電気容量性(electrostatic capacitive)、抵抗オーバレイ(resistive overlay)、赤外線ビーム(infrared beam)、表面弾性波(surface acoustic wave)、統合ストレーンゲージ(integral strain gauge)及び圧電(piezo-electric)方法のうち少なくともいずれか一つによって構成されることができる。
【００３３】
しかし、以下の項目選択方法はタッチスクリーンを作動するのに自分の指を使用する使用者によって便利に実行されることができる。よって、本発明は表示装置１２０がタッチスクリーンを示すものとして理解される。
【００３４】
入力装置１３０は使用者が種々の命令または情報を移動端末機１００に入力することを許容する。入力装置１３０は、表示装置１２０がタッチスクリーンで実行されない場合には、移動端末機１００のための必需品である。反面、表示装置１２０がタッチスクリーンで実行される場合、入力装置１３０は移動ターミナル１００に選択的に含まれることができる。入力装置１３０はキーパッド(keypad)、タッチホイール(touch-wheel)、タッチパッドまたは音声認識装置であることができる。
【００３５】
無線周波数装置１４０は、移動端末機１００が音声通話サービスまたはショートメッセージサービスを利用して通信システムと通信するように許容するために多様な無線周波数信号を処理する。
【００３６】
制御装置１５０は記憶装置１１０、表示装置１２０、入力装置１３０及び無線周波数装置１４０を含む端末機のすべての作業を制御する。特に、制御装置１５０は移動端末機１００で実行される項目選択方法を制御する。
【００３７】
端末機に使用するための項目選択方法の実施例が記載される。
【００３８】
本発明の第１実施例は図２Ａないし図２Ｄ及び図３を参照にして記載される。
【００３９】
図２Ａないし図２Ｄは本発明の第１実施例による項目選択方法と関連される移動端末機の表示映像を示す。図３は本発明の第１実施例による項目選択方法を示す順序図である。図２Ａに示すように、多くのＭＰ３音楽ファイルアイコンが移動端末機の表示装置に表示される。
【００４０】
アイコンが移動端末機の表示装置に表示される間に、本発明の第１実施例によって、アイコンのうちでいくつかのアイコン(すなわち、"音楽３"アイコン、"音楽４"アイコン、及び"音楽５"アイコン)を簡便に選択するための方法が記載される。
【００４１】
第１実施例及び他の実施例において、アイコンがＭＰ３音楽ファイルアイコンである必要はないし、アイコンは必要に応じて映像ファイルまたは文書ファイルと関連される項目であり得る。
【００４２】
図２Ｂに示すように、使用者は、Ｓ３１０で、図３に示す表示装置１２０のタッチスクリーン上の所望の場所で、第１接触及び第２接触を同時に遂行する。
【００４３】
このような場合において、第１接触及び第２接触の同時遂行とは、第１及び第２接触遂行の開始及び終了時間が相互に同一でなければならないということを意味することではないことを注目しなければならない。
【００４４】
本発明(この実施例及び他の実施例)によると、たとえ第１接触が第２接触に比べて先に始まった場合であるとしても、第１接触が終わらないうちに使用者が第２接触を遂行したら、第１接触と第２接触は同時に遂行されるものとみなされる。
【００４５】
言い換えると、使用者によって遂行される第１接触及び第２接触の両方が特定の瞬間にタッチスクリーン１２０と接触したら、第１接触と第２接触は同時に遂行されるものとしてみなされる。同様に、その作動は第２接触が第１接触に比べて早く始まる他の場合にも適用される。
【００４６】
仮に、第１接触及び第２接触がタッチスクリーン１２０上で同時に遂行されたら、第１接触に対応する第１地点と第２接触に対応する第２地点は、Ｓ３２０で、図２Ｃに示すようにタッチスクリーン１２０から入力される。そして、第１及び第２地点によって画定された領域２３０は、Ｓ３３０で設定される。
【００４７】
望ましくは、図２Ｃに示すように、画定された領域２３０が対向角として第１及び第２地点を具備した矩形の形態で構成されることができる。
【００４８】
領域２３０は閉曲線の形態で構成されることができる。例えば、領域２３０は第１地点としての中心と第２地点としての半径を有する円の形態であることができる。
【００４９】
他の例において、領域は第１地点及び第２地点を通過する一対の平行線によって画定されることもできる。しかし、記載の便宜と本発明のより良い理解のために、画定された領域は矩形の形態で構成されるものとして仮定する。
【００５０】
第１及び第２地点並びに限定された領域２３０が図２Ｃのより良い理解のために視覚的に表示されているが、第１及び第２地点または領域２３０はタッチスクリーン１２０上に仮想的に表示されることができる。
【００５１】
画定された領域２３０が設定されたら、領域２３０内に含まれたアイコン(すなわち、"音楽３"アイコン、"音楽４"アイコン及び"音楽５"アイコン)は、Ｓ３４０で選択される。選択されたアイコンは使用者の端末機機能の選択によって多様な方式で処理されることができる。
【００５２】
例えば、図２Ｃ及び図２Ｄに示すように、選択されたアイコンは使用者によって押される削除アイコン２１０によって削除されることができるか、または使用者によって押される実行アイコン２２０によって順次実行されることができる。
【００５３】
同じく、使用者がタッチスクリーン１２０上に第１接触と第２接触とを同時に遂行したら、複数の項目が同時に選択／処理されることができるし、それによって使用者の便宜が増加する。
【００５４】
図２Ｂに示すように、使用者は自分の指を使用して複数の接触を同時に遂行する。しかし、複数のスタイラスペン(stylus pen)を使用して、タッチスクリーンの複数の地点を接触することもできることを念頭におかなければならない。この動作は第１実施例以外の残りの実施例に適用されることができる。
【００５５】
第１実施例は使用者がタッチスクリーン上に２個の接触を実施する特定の場合を開示している。しかし、接触動作は２個の接触のみに制限されないし、必要に応じて３個またはそれ以上の接触になり得る。この動作は第１実施例以外の残りの実施例に適用されることができる。
【００５６】
例えば、使用者が３個接触動作を遂行したら、３個の接触地点に対応する三角形領域が設定されることができる。
【００５７】
本発明の第２実施例は、図４Ａないし図４Ｄ及び図５を参照にして記述される。図４Ａないし図４Ｄは本発明の第２実施例による項目選択方法と関連される移動端末機の表示映像を示す。図５は本発明の第２実施例による項目選択方法を示す順序図である。
【００５８】
図４Ａに示すように、ＭＰ３音楽ファイルアイコンが表示される間に、本発明の第２実施例によって、アイコンのうちでいくつかのアイコン(すなわち、"音楽３"アイコン及び"音楽４"アイコン)を簡便に選択するための方法を記載する。
【００５９】
図４Ａ及び図４Ｂにおいて、使用者は、Ｓ５１０で、表示装置のタッチスクリーン１２０上の２個、またはそれ以上のアイコンを同時に接触する。図４Ｂは説明の便宜のために使用者によって接触される２個のアイコンのみを示しているが、第２実施例は３個またはそれ以上のアイコンが使用者によって同時に接触される他の場合にも適用されることができることを留意しなければならない。その結果、同時に接触された２個またはそれ以上のアイコンが、Ｓ５２０で、図４Ｃに示すように同時に選択される。
【００６０】
選択されたアイコンは使用者の選択と端末機の多くの機能によって同時に処理されることができる。図４Ｃ及び図４Ｄに示すように、例えば、選択されたアイコンは使用者によって押される削除アイコン２１０によって同時に削除されることができる。
【００６１】
本発明の第３実施例は、図６Ａないし図６Ｄ及び図７を参照にして記載する。図６Ａないし図６Ｄは、本発明の第３実施例による項目選択と関連される移動端末機の表示映像を示す。図７は本発明の第３実施例による項目選択方法を示す順序図である。
【００６２】
ショートメッセージサービス受信リストが図６Ａに示すように表示されたときに、本発明の第３実施例によって、表示されたリストのうちで一部アイコン(例えば、"ＳＭＳ３"アイコン、"ＳＭＳ４"アイコン、"ＳＭＳ５"アイコン、"ＳＭＳ６"アイコン)を便利に選択するための方法が記載される。
【００６３】
図６Ａのショートメッセージサービス表示状況下で、Ｓ７１０で、図６Ｂに示すように、使用者はタッチスクリーン上の"ＳＭＳ２"及び"ＳＭＳ５"アイコンを同時に接触する。
【００６４】
仮に"ＳＭＳ３"アイコンと"ＳＭＳ６"アイコンが第１接触及び第２接触によってそれぞれ同時に接触されたら、Ｓ７２０で、図６Ｃに示すように"ＳＭＳ２"及び"ＳＭＳ５"アイコンだけではなく、"ＳＭＳ３"アイコン及び"ＳＭＳ４"アイコンも同時に選択される。
【００６５】
選択されたショートメッセージサービス(ＳＭＳ)アイコンは、使用者の選択と端末機の多様な機能によって異なる方法で処理されることができる。図６Ｃ及び図６Ｄに示すように、例えば選択されたアイコン(例えば、"ＳＭＳ３"アイコン、"ＳＭＳ４"アイコン、"ＳＭＳ５"アイコン、"ＳＭＳ６"アイコン)は、使用者によって押される削除アイコン２１０によって同時に削除されることができる。
【００６６】
第３実施例はショートメッセージサービス(ＳＭＳ)リストを記載しているが、本発明は前述した例のみに制限されないし、電話番号及びメールリストにも適用されることができることを留意しなければならない。
【００６７】
さらに、第３実施例は複数の垂直表示された項目を記載しているが、項目はどの方向でも連続して表示されることができることを留意しなければならない。
【００６８】
一方、図６Ａの表示状況下で使用者が"ＳＭＳ２"アイコン及び"ＳＭＳ５"アイコンを同時に接触したら、第３実施例では、必要に応じて、"ＳＭＳ２"アイコン及び"ＳＭＳ５"アイコンのみが選択されたものとしてみなす。前述した動作については第２実施例のそれと類似であるので、これに関する詳しい説明は記載の便宜上省略される。
【００６９】
本発明の第４実施例は、以下、図８Ａないし図８Ｄ及び図９を参照して記載する。図８Ａないし図８Ｄは、本発明の第４実施例における、項目選択方法と関連される移動端末機の表示映像を例示的に示す。図９は本発明の第４実施例による項目選択方法を示す順序図である。
【００７０】
仮に、ショートメッセージサービス(ＳＭＳ)受信リストが図８Ａに示すように表示された場合に、以下に、本発明の第４実施例によって、表示されたリストのうちで一部アイコン(例えば、"ＳＭＳ２"アイコン、"ＳＭＳ３"アイコン、及び"ＳＭＳ４"アイコン)らを便利に選択するための方法を記載する。
【００７１】
図８Ａ及び図８Ｂにおいて、Ｓ９１０で、使用者はタッチスクリーン１２０(図８ｂ−１参照)上の"ＳＭＳ２"アイコンを接触する。よって、"ＳＭＳ２"アイコンは図８Ｂの８ｂ−２に示すように選択される。このような場合に、仮に使用者が自分の指をタッチスクリーンから離すと、 "ＳＭＳ２"アイコンのみが選択される。
【００７２】
しかし、使用者が所定時間"ＳＭＳ２"アイコンを接触したら、"ＳＭＳ３"アイコンも図８Ｂの図８ｂ−３に示すように選択される。もし、使用者がまた他の所定時間"ＳＭＳ２"アイコンとの接触を維持したら、図８Ｂの図８ｂ−４に示すように"ＳＭＳ４"アイコンが選択される。このような場合に、図８Ｂの図８ｂ−５に示すように使用者が"ＳＭＳ２"アイコンから自分の指を離すと、"ＳＭＳ２"、"ＳＭＳ３"及び"ＳＭＳ４"アイコンすべてがＳ９２０及びＳ９３０で完全に選択される。
【００７３】
選択された短いメッセージサービス(ＳＭＳ)メッセージは使用者の選択と端末機の多様な機能によって多様な方式で処理されることができる。例えば、図８Ｃ及び図８Ｂに示すように使用者が削除アイコン２１０を接触したら、"ＳＭＳ２"、"ＳＭＳ３"及び"ＳＭＳ４"アイコンすべてが同時に削除されることができる。
【００７４】
第４実施例ではショートメッセージサービス(ＳＭＳ)リストを記載しているが、本発明はこのような例のみに制限されるのではなく、電話番号及び電子郵便リストにも適用されることができることを留意しなければならない。
【００７５】
第４実施例では垂直表示された複数の項目らを記載しているが、項目はどの方向でも連続的に表示されることもできることを留意しなければならない。
【００７６】
第４実施例は一つの項目が少なくとも所定時間に継続的に接触されたら、選択された一つの項目に後続する項目が連続的に選択される。しかし、本発明の範囲がこのような実施例のみに制限されるのではないことを留意しなければならない。
【００７７】
例えば、一つの項目が少なくとも所定時間に連続的に接触されたら、選択された一つの項目以前の項目らが逆順に選択されることができるか、または選択された項目の隣近項目(すなわち、前後の項目)が必要に応じて選択されることもできる。
【００７８】
本発明の望ましい第５実施例は、図１０Ａないし図１０Ｄ、及び図１１を参照にして記載する。図１０Ａないし図１０Ｄは、本発明の第５実施例による項目選択方法と関連される移動端末機の表示映像を示す。図１１は本発明の第５実施例による項目選択方法を示す順序図である。
【００７９】
仮に、ＭＰ３音楽ファイルが図１０Ａに示すように表示されたら、本発明の第５実施例によって、表示されたリストのうちで一部のアイコン(例えば、"ＳＭＳ３"アイコン、"ＳＭＳ４"アイコン及び"ＳＭＳ５"アイコン)らを便利に選択するための方法が記載される。
【００８０】
図１０Ａのアイコン表示状況下で、Ｓ１１１０で、使用者は図１０Ｂの１０ｂ−１に示すようにタッチスクリーン１２０上で所定の地点を接触して、Ｓ１１２０で、所定時間、地点への接触状態を維持する。
【００８１】
閉曲線領域２３０は、Ｓ１１３０で、図１０Ｂの図１０ｂ−２に示す地点を基礎に形成される。図１０Ｂは円形領域２３０を示すが、本発明はこのような例のみに制限されないことを留意しなければならない。
【００８２】
領域２３０が図１０Ｂのより良い理解のために視覚的に表示されるが、領域２３０は必要に応じてタッチスクリーン１２０上に仮想的に表示されることもできる。
【００８３】
図１０Ｂの図１０ｂ−３に示すように、使用者が所定時間、領域２３０を継続的に接触したら、領域２３０の大きさは前記領域２３０が"音楽３"アイコン、"音楽４"アイコン及び"音楽５"アイコンを含むように増加する。
【００８４】
このような場合において、図１０Ｂの図１０ｂ−４に示すように、使用者が自分の指をタッチスクリーンから離すと、"音楽３"アイコン、"音楽４"アイコン及び"音楽５"アイコンすべてがＳ１１４０で完全に選択される。
【００８５】
このような方式において、選択されたアイコンは使用者の選択と端末機の多様な機能によって多様な方式で処理されることができる。例えば、図１０Ｃ及び図１０Ｄに示すように、使用者が削除アイコン２１０を選択したら、"音楽３"アイコン、"音楽４"アイコン及び"音楽５"アイコンすべては必要によって同時に削除されることができる。
【００８６】
当技術分野の当業者は本発明の思想または範囲を脱しないまま、本発明内で多様な改造及び変形ができることは明白である。よって、本発明は添付された請求項及びその同等物内で提供される本発明の改造及び変形も網羅する。
【図面の簡単な説明】
【００８７】
【図１】本発明による携帯端末機を示すブロック図である。
【図２Ａ】本発明の第１実施例による項目選択方法と関連される移動端末機の表示映像を示す図面である。
【図２Ｂ】本発明の第１実施例による項目選択方法と関連される移動端末機の表示映像を示す図面である。
【図２Ｃ】本発明の第１実施例による項目選択方法と関連される移動端末機の表示映像を示す図面である。
【図２Ｄ】本発明の第１実施例による項目選択方法と関連される移動端末機の表示映像を示す図面である。
【図３】本発明の第１実施例による項目選択方法を示す順序図である。
【図４Ａ】本発明の第２実施例による項目選択方法と関連される移動端末機の表示映像を示す図面である。
【図４Ｂ】本発明の第２実施例による項目選択方法と関連される移動端末機の表示映像を示す図面である。
【図４Ｃ】本発明の第２実施例による項目選択方法と関連される移動端末機の表示映像を示す図面である。
【図４Ｄ】本発明の第２実施例による項目選択方法と関連される移動端末機の表示映像を示す図面である。
【図５】本発明の第２実施例による項目選択方法を示す順序図である。
【図６Ａ】本発明の第３実施例による項目選択方法と関連される移動端末機の表示映像を示す図面である。
【図６Ｂ】本発明の第３実施例による項目選択方法と関連される移動端末機の表示映像を示す図面である。
【図６Ｃ】本発明の第３実施例による項目選択方法と関連される移動端末機の表示映像を示す図面である。
【図６Ｄ】本発明の第３実施例による項目選択方法と関連される移動端末機の表示映像を示す図面である。
【図７】本発明の第３実施例による項目選択方法を示す順序図であり、
【図８Ａ】本発明の第４実施例による項目選択方法と関連される移動端末機の表示映像を示す図面である。
【図８Ｂ】本発明の第４実施例による項目選択方法と関連される移動端末機の表示映像を示す図面である。
【図８Ｃ】本発明の第４実施例による項目選択方法と関連される移動端末機の表示映像を示す図面である。
【図８Ｄ】本発明の第４実施例による項目選択方法と関連される移動端末機の表示映像を示す図面である。
【図９】本発明の第４実施例による項目選択方法を示す順序図である。
【図１０Ａ】本発明の第５実施例による項目選択方法と関連される移動端末機の表示映像を示す図面である。
【図１０Ｂ】本発明の第５実施例による項目選択方法と関連される移動端末機の表示映像を示す図面である。
【図１０Ｃ】本発明の第５実施例による項目選択方法と関連される移動端末機の表示映像を示す図面である。
【図１０Ｄ】本発明の第５実施例による項目選択方法と関連される移動端末機の表示映像を示す図面である。
【図１１】本発明の第５実施例による項目選択方法を示す順序図である。
【符号の説明】
【００８８】
１００  携帯端末機
１１０  記憶装置
１２０  表示装置
１３０  入力装置
１４０  無線周波数装置
１５０  制御装置
【図１】
2007272904.tif 000003
【図２Ａ】
2007272904.tif 000004
【図２Ｂ】
2007272904.tif 000005
【図２Ｃ】
2007272904.tif 000006
【図２Ｄ】
2007272904.tif 000007
【図３】
2007272904.tif 000008
【図４Ａ】
2007272904.tif 000009
【図４Ｂ】
2007272904.tif 000010
【図４Ｃ】
2007272904.tif 000011
【図４Ｄ】
2007272904.tif 000012
【図５】
2007272904.tif 000013
【図６Ａ】
2007272904.tif 000014
【図６Ｂ】
2007272904.tif 000015
【図６Ｃ】
2007272904.tif 000016
【図６Ｄ】
2007272904.tif 000017
【図７】
2007272904.tif 000018
【図８Ａ】
2007272904.tif 000019
【図８Ｂ】
2007272904.tif 000020
【図８Ｃ】
2007272904.tif 000021
【図８Ｄ】
2007272904.tif 000022
【図９】
2007272904.tif 000023
【図１０Ａ】
2007272904.tif 000024
【図１０Ｂ】
2007272904.tif 000025
【図１０Ｃ】
2007272904.tif 000026
【図１０Ｄ】
2007272904.tif 000027
【図１１】
2007272904.tif 000028
【外国語明細書】
2007272904000001.pdf
2007272904000002.pdf
2007272904000003.pdf
2007272904000004.pdf